【事件の表示】
　特願２０００−１５１７３６「ある音声部分の再生中にユーザ操作により別の種類の音声部分を再生する方法」拒絶査定不服審判事件〔平成１３年　１月１９日出願公開、特開２００１−　１６１２３〕について、次のとおり審決する。
【結　論】
　本件審判の請求は、成り立たない。
【理　由】
１．手続の経緯  
　本願は、平成１２年５月２３日（パリ条約による優先権主張１９９９年５月２５日、米国）を出願日とする出願であって、平成１５年１月２４日付けで拒絶理由通知がなされ、同年４月２３日付けで手続補正がなされたが、同年６月１３日付けで拒絶査定がなされ、これに対し、同年９月１６日に審判請求がなされると共に、同日付で手続補正がなされたものである。  
　  
２．平成１５年９月１６日付けの手続補正についての補正却下の決定  
［補正却下の決定の結論］  
　平成１５年９月１６日付けの手続補正（以下、「本件補正」という。）を却下する。  
［理由］  
（１）本件補正の内容  
　本件補正は、特許請求の範囲の請求項１乃至２７を、  
「【請求項１】　　ユーザ側の装置において実行される音声情報を再生する方法であって、  
　前記装置において音声情報を受信する過程であって、前記音声情報は音声サンプルと音声番組とを含み、前記装置においてその何れであるかが判別される、該過程と、  
　前記音声情報が音声サンプルとして識別された場合には前記音声情報を再生する過程と、  
　前記音声情報が音声番組として識別された場合には前記装置のメモリに前記音声情報を格納する過程とを有し、  
　前記音声情報を格納する過程の前に前記音声番組を再生しないことを特徴とする方法。  
　　【請求項２】　　前記メモリからそこに格納された前記音声番組を検索する過程と、  
　検索された前記音声番組を再生する過程とをさらに有することを特徴とする請求項１に記載の方法。  
　　【請求項３】　　前記音声サンプルの再生中に、前記装置のユーザインタフェースサブシステムから選択信号を受信する過程と、  
　前記選択信号を受信するのに応じて前記音声サンプルの識別子を前記メモリに格納する過程とをさらに有することを特徴とする請求項１に記載の方法。  
　　【請求項４】　　前記音声サンプルを含む複数の音声サンプルが、前記装置に送信される第１の信号のアナログフォーマットで搬送され、  
　前記音声番組が前記装置に送信される第２の信号のデジタルフォーマットで搬送され、  
　前記音声サンプルが前記音声番組の抜粋であることを特徴とする請求項１に記載の方法。  
　　【請求項５】　　前記音声サンプルを含む複数の音声サンプルが、前記装置に送信される第１の信号のデジタルフォーマットで搬送され、  
　前記音声番組が前記装置に送信される第２の信号のデジタルフォーマットで搬送され、  
　前記音声サンプルが前記音声番組の抜粋であることを特徴とする請求項１に記載の方法。  
　　【請求項６】　　前記音声番組と、前記音声サンプルを含む複数の音声サンプルとが、前記装置に送信される共通信号の圧縮されたフォーマットで搬送されることを特徴とする請求項１に記載の方法。  
　　【請求項７】　　前記装置において、前記音声番組と、前記複数の音声サンプルとをそれぞれ圧縮解除する過程をさらに有することを特徴とする請求項６に記載の方法。  
　　【請求項８】　　前記音声サンプルに関連する音声番組のリストを受信する過程であって、前記リストが前記音声番組の一覧を含む、該受信過程と、  
　前記ユーザに少なくとも前記リストの一部を提示する過程とをさらに有し、  
　前記ユーザインターフェースサブシステムからの前記選択信号が、前記受信過程と前記提示する過程の後にのみ生成されることを特徴とする請求項１に記載の方法。  
　　【請求項９】　　前記ユーザが前記装置のボタンを押下するのに応じて、前記ユーザインターフェースサブシステムにおいて前記選択信号を生成する過程をさらに有することを特徴とする請求項１に記載の方法。  
　　【請求項１０】　　前記ユーザから前記装置への話しコマンドに応じて、前記ユーザインターフェースサブシステムにおいて前記選択信号を生成する過程をさらに有することを特徴とする請求項１に記載の方法。  
　　【請求項１１】　　前記音声番組に支払いをするために金銭的取引を実行する過程をさらに有することを特徴とする請求項１に記載の方法。  
　　【請求項１２】　　前記再生過程が、前記受信過程と同時に実行されることを特徴とする請求項１に記載の方法。  
　　【請求項１３】　　前記装置のユーザインターフェースサブシステムから選択信号を受信する過程と、  
　前記音声サンプルの識別子を判別するために前記信号の受信の時刻を用いる過程とをさらに有することを特徴とする請求項１に記載の方法。  
　　【請求項１４】　　前記音声サンプルを含む複数の音声サンプルが前記装置に送信される第１の信号においてアナログフォーマットで搬送され、前記第１の信号がデジタルフォーマットの複数の識別子も搬送し、各識別子が前記複数の音声サンプル内の１つの音声サンプルに対応し、前記音声番組を含む複数の音声番組が前記装置に送信される前記第２の信号においてデジタルフォーマットで搬送され、各音声番組が前記複数の識別子における１つの識別子により識別され、前記方法がさらに、  
　前記第１の信号から１つの識別子を抽出する過程と、  
　前記選択信号を受信するのに応じて前記識別子を前記メモリに格納する過程とを有することを特徴とする請求項１に記載の方法。  
　　【請求項１５】　　前記再生過程の前に、前記音声情報が音声サンプルである場合には前記音声情報を前記メモリに格納する過程をさらに有することを特徴とする請求項１に記載の方法。  
　　【請求項１６】　　ユーザに対して音声情報を再生するための装置（１）であって、  
　メモリ（１３）と、  
　前記メモリに接続されるスピーカ（１４）と、  
　前記メモリに接続される第１の出力ライン（１２）を有し、受信機（３４）を備えるチャネルインターフェースサブシステムとを備え、前記チャネルインターフェースサブシステムがさらに、前記スピーカを前記メモリに接続することに対して切替え可能なように前記スピーカに接続される第２の出力ライン（２４）を有し、  
　前記音声情報は音声サンプルと音声番組とを含み、前記装置は、前記受信機において受信される音声情報が前記音声サンプルと前記音声番組の何れであるかを判別し、前記音声番組を前記第１の出力ライン上に供給し、前記音声サンプルは前記第２の出力ライン上に供給することを特徴とする装置。  
　　【請求項１７】　　ユーザインターフェースサブシステム（５）をさらに備え、  
　前記ユーザインターフェースサブシステムからの第１の信号に応じて、前記装置が前記メモリから前記スピーカを切断し、前記チャネルインターフェースサブシステムに前記スピーカを接続し、  
　前記スピーカが前記チャネルインターフェースサブシステムに接続される間に、前記ユーザインターフェースからの第２の信号に応じて、前記チャネルインターフェースから前記スピーカを切断し、前記スピーカを前記メモリに接続することを特徴とする請求項１６に記載の装置。  
　　【請求項１８】　　前記スピーカと前記メモリとの間に接続される再生コントローラ（６）と、  
　前記チャネルインターフェースサブシステムと前記メモリとの間に接続される受信コントローラ（７）とをさらに備え、  
　前記受信コントローラと前記再生コントローラとがそれぞれ前記ユーザインターフェースサブシステムに接続されることを特徴とする請求項１７に記載の装置。  
　　【請求項１９】　　前記チャネルインターフェースが変調器（２７）を備え、  
　前記受信コントローラが、前記変調器と、前記再生コントローラと、前記ユーザインターフェースとにそれぞれ接続される購入コントロールロジック（３２）を備え、前記購入コントロールロジックが、前記ユーザインターフェースからのアクティブ信号に応じて前記チャネルインターフェースサブシステムの前記第２の出力上に供給される音声サンプルに関連する音声番組の代金を支払うための金融取引を実行することを特徴とする請求項１８に記載の装置。  
　　【請求項２０】　　前記受信コントローラが、前記購入コントロールロジック（４５）と前記ユーザインターフェースとに接続される購入カスタマイズロジックを備えることを特徴とする請求項１９に記載の装置。  
　　【請求項２１】　　前記メモリが、前記第２の出力ライン上に現在供給されている音声サンプルに関連する音声番組のリストを格納するべく構成されていることを特徴とする請求項２０に記載の装置。  
　　【請求項２２】　　前記メモリが取外し可能記憶媒体（１３Ｃ）を含むことを特徴とする請求項１６に記載の装置。  
　　【請求項２３】　　前記メモリが、前記チャネルインターフェースサブシステムにより受信され、前記スピーカが前記チャネルインターフェースサブシステムの前記第２の出力ラインに接続されている間に前記第１の出力ライン上に供給されている複数の音声番組を格納するべく構成されていることを特徴とする請求項１６に記載の装置。  
　　【請求項２４】　　前記チャネルインターフェースサブシステムが前記第２の出力ライン上に複数の音声サンプルを供給し、前記メモリ内の前記複数の音声番組の各音声番組が前記複数の音声サンプルの１つの音声サンプルに関連することを特徴とする請求項２３に記載の装置。  
　　【請求項２５】　　前記メモリがリストの前記音声番組に対する複数の識別子を格納するべく構成されており、  
　前記購入コントロールロジックが、前記識別子により識別された音声番組に対する前記金融取引を実行した後に、前記リストに識別子を追加することを特徴とする請求項２４に記載の装置。  
　　【請求項２６】　　前記チャネルインターフェースサブシステムの前記受信機が、  
　チューナ出力ライン（１０８）を有するチャネルチューナ（１０１）と、　前記チューナ出力及び前記スピーカに接続されるステレオデコーダ（１０２）と、  
　前記チューナ出力ラインに接続される帯域通過フィルタ（１０３）と、  
　前記帯域通過フィルタに接続されるアナログ／デジタル（Ａ／Ｄ）コンバータ（１０４）と、  
　前記チューナ出力ライン及び前記Ａ／Ｄコンバータに接続されるクロック再生回路（１０５）とを備えることを特徴とする請求項１６に記載の装置。　　【請求項２７】　　前記Ａ／Ｄコンバータと前記スピーカとの間に接続されるプロセッサ（１１１）をさらに備えることを特徴とする請求項２６に記載の装置。」から、  
　  
「【請求項１】　　ユーザ側の装置において実行される音声情報を再生する方法であって、  
　前記装置において音声情報を受信する過程であって、前記音声情報は音声サンプルと音声番組とを含み、前記装置においてその何れであるかが判別される、該過程と、  
　前記音声情報が音声サンプルとして識別された場合には前記音声情報を再生する過程と、  
　前記音声情報が音声番組として識別された場合には前記装置のメモリに前記音声情報を格納する過程とを有し、  
　前記音声情報を格納する過程の前に前記音声番組を再生しないことを特徴とし、かつ、  
　前記音声サンプルのそれぞれ及び前記音声番組のそれぞれが、関連する識別子を有し、前記音声番組のそれぞれが前記音声サンプルのなかの１つに関連付けられ、前記音声サンプルのそれぞれと前記音声番組のそれぞれとが共通の識別子により関連付けられることを特徴とする方法。  
　　【請求項２】　　前記メモリからそこに格納された前記音声番組を検索する過程と、  
　検索された前記音声番組を再生する過程とをさらに有することを特徴とする請求項１に記載の方法。  
　　【請求項３】　　前記音声サンプルの再生中に、前記装置のユーザインタフェースサブシステムから選択信号を受信する過程と、  
　前記選択信号を受信するのに応じて前記音声サンプルの識別子を前記メモリに格納する過程とをさらに有することを特徴とする請求項１に記載の方法。  
　　【請求項４】　　前記音声サンプルを含む複数の音声サンプルが、前記装置に送信される第１の信号のアナログフォーマットで搬送され、  
　前記音声番組が前記装置に送信される第２の信号のデジタルフォーマットで搬送され、  
　前記音声サンプルが前記音声番組の抜粋であることを特徴とする請求項１に記載の方法。  
　　【請求項５】　　前記音声サンプルを含む複数の音声サンプルが、前記装置に送信される第１の信号のデジタルフォーマットで搬送され、  
　前記音声番組が前記装置に送信される第２の信号のデジタルフォーマットで搬送され、  
　前記音声サンプルが前記音声番組の抜粋であることを特徴とする請求項１に記載の方法。  
　　【請求項６】　　前記音声番組と、前記音声サンプルを含む複数の音声サンプルとが、前記装置に送信される共通信号の圧縮されたフォーマットで搬送されることを特徴とする請求項１に記載の方法。  
　　【請求項７】　　前記装置において、前記音声番組と、前記複数の音声サンプルとをそれぞれ圧縮解除する過程をさらに有することを特徴とする請求項６に記載の方法。  
　　【請求項８】　　前記音声サンプルに関連する音声番組のリストを受信する過程であって、前記リストが前記音声番組の一覧を含む、該受信過程と、  
　前記ユーザに少なくとも前記リストの一部を提示する過程とをさらに有し、  
　前記ユーザインターフェースサブシステムからの前記選択信号が、前記受信過程と前記提示する過程の後にのみ生成されることを特徴とする請求項１に記載の方法。  
　　【請求項９】　　前記ユーザが前記装置のボタンを押下するのに応じて、前記ユーザインターフェースサブシステムにおいて前記選択信号を生成する過程をさらに有することを特徴とする請求項１に記載の方法。  
　　【請求項１０】　　前記ユーザから前記装置への話しコマンドに応じて、前記ユーザインターフェースサブシステムにおいて前記選択信号を生成する過程をさらに有することを特徴とする請求項１に記載の方法。  
　　【請求項１１】　　前記音声番組に支払いをするために金銭的取引を実行する過程をさらに有することを特徴とする請求項１に記載の方法。  
　　【請求項１２】　　前記再生過程が、前記受信過程と同時に実行されることを特徴とする請求項１に記載の方法。  
　　【請求項１３】　　前記装置のユーザインターフェースサブシステムから選択信号を受信する過程と、  
　前記音声サンプルの識別子を判別するために前記信号の受信の時刻を用いる過程とをさらに有することを特徴とする請求項１に記載の方法。  
　　【請求項１４】　　前記音声サンプルを含む複数の音声サンプルが前記装置に送信される第１の信号においてアナログフォーマットで搬送され、前記第１の信号がデジタルフォーマットの複数の識別子も搬送し、各識別子が前記複数の音声サンプル内の１つの音声サンプルに対応し、前記音声番組を含む複数の音声番組が前記装置に送信される前記第２の信号においてデジタルフォーマットで搬送され、各音声番組が前記複数の識別子における１つの識別子により識別され、前記方法がさらに、  
　前記第１の信号から１つの識別子を抽出する過程と、  
　前記選択信号を受信するのに応じて前記識別子を前記メモリに格納する過程とを有することを特徴とする請求項１に記載の方法。  
　　【請求項１５】　　前記再生過程の前に、前記音声情報が音声サンプルである場合には前記音声情報を前記メモリに格納する過程をさらに有することを特徴とする請求項１に記載の方法。  
　　【請求項１６】　　ユーザに対して音声情報を再生するための装置（１）であって、  
　メモリ（１３）と、  
　前記メモリに接続されるスピーカ（１４）と、  
　前記メモリに接続される第１の出力ライン（１２）を有し、受信機（３４）を備えるチャネルインターフェースサブシステムとを備え、前記チャネルインターフェースサブシステムがさらに、前記スピーカを前記メモリに接続することに対して切替え可能なように前記スピーカに接続される第２の出力ライン（２４）を有し、  
　前記音声情報は複数の音声サンプルと複数の音声番組とを含み、前記装置は、前記受信機において受信される音声情報が前記音声サンプルと前記音声番組の何れであるかを判別し、前記音声番組を前記第１の出力ライン上に供給し、前記音声サンプルは前記第２の出力ライン上に供給することを特徴とし、かつ、  
　前記音声サンプルのそれぞれ及び前記音声番組のそれぞれが、関連する識別子を有し、前記音声番組のそれぞれが前記音声サンプルのなかの１つに関連付けられ、前記音声サンプルのそれぞれと前記音声番組のそれぞれとが共通の識別子により関連付けられることを特徴とする装置。  
　　【請求項１７】　　ユーザインターフェースサブシステム（５）をさらに備え、  
　前記ユーザインターフェースサブシステムからの第１の信号に応じて、前記装置が前記メモリから前記スピーカを切断し、前記チャネルインターフェースサブシステムに前記スピーカを接続し、  
　前記スピーカが前記チャネルインターフェースサブシステムに接続される間に、前記ユーザインターフェースからの第２の信号に応じて、前記チャネルインターフェースから前記スピーカを切断し、前記スピーカを前記メモリに接続することを特徴とする請求項１６に記載の装置。  
　　【請求項１８】　　前記スピーカと前記メモリとの間に接続される再生コントローラ（６）と、  
　前記チャネルインターフェースサブシステムと前記メモリとの間に接続される受信コントローラ（７）とをさらに備え、  
　前記受信コントローラと前記再生コントローラとがそれぞれ前記ユーザインターフェースサブシステムに接続されることを特徴とする請求項１７に記載の装置。  
　　【請求項１９】　　前記チャネルインターフェースが変調器（２７）を備え、  
　前記受信コントローラが、前記変調器と、前記再生コントローラと、前記ユーザインターフェースとにそれぞれ接続される購入コントロールロジック（３２）を備え、前記購入コントロールロジックが、前記ユーザインターフェースからのアクティブ信号に応じて前記チャネルインターフェースサブシステムの前記第２の出力上に供給される音声サンプルに関連する音声番組の代金を支払うための金融取引を実行することを特徴とする請求項１８に記載の装置。  
　　【請求項２０】　　前記受信コントローラが、前記購入コントロールロジック（４５）と前記ユーザインターフェースとに接続される購入カスタマイズロジックを備えることを特徴とする請求項１９に記載の装置。  
　　【請求項２１】　　前記メモリが、前記第２の出力ライン上に現在供給されている音声サンプルに関連する音声番組のリストを格納するべく構成されていることを特徴とする請求項２０に記載の装置。  
　　【請求項２２】　　前記メモリが取外し可能記憶媒体（１３Ｃ）を含むことを特徴とする請求項１６に記載の装置。  
　　【請求項２３】　　前記メモリが、前記チャネルインターフェースサブシステムにより受信され、前記スピーカが前記チャネルインターフェースサブシステムの前記第２の出力ラインに接続されている間に前記第１の出力ライン上に供給されている複数の音声番組を格納するべく構成されていることを特徴とする請求項１６に記載の装置。  
　　【請求項２４】　　前記チャネルインターフェースサブシステムが前記第２の出力ライン上に複数の音声サンプルを供給し、前記メモリ内の前記複数の音声番組の各音声番組が前記複数の音声サンプルの１つの音声サンプルに関連することを特徴とする請求項２３に記載の装置。  
　　【請求項２５】　　前記メモリがリストの前記音声番組に対する複数の識別子を格納するべく構成されており、  
　前記購入コントロールロジックが、前記識別子により識別された音声番組に対する前記金融取引を実行した後に、前記リストに識別子を追加することを特徴とする請求項２４に記載の装置。  
　　【請求項２６】　　前記チャネルインターフェースサブシステムの前記受信機が、  
　チューナ出力ライン（１０８）を有するチャネルチューナ（１０１）と、　前記チューナ出力及び前記スピーカに接続されるステレオデコーダ（１０２）と、  
　前記チューナ出力ラインに接続される帯域通過フィルタ（１０３）と、  
　前記帯域通過フィルタに接続されるアナログ／デジタル（Ａ／Ｄ）コンバータ（１０４）と、  
　前記チューナ出力ライン及び前記Ａ／Ｄコンバータに接続されるクロック再生回路（１０５）とを備えることを特徴とする請求項１６に記載の装置。 　　【請求項２７】　　前記Ａ／Ｄコンバータと前記スピーカとの間に接続されるプロセッサ（１１１）をさらに備えることを特徴とする請求項２６に記載の装置。」  
　に補正しようとするものである。  
　　 
　すなわち、本件補正は、請求項１については、「前記音声サンプルのそれぞれ及び前記音声番組のそれぞれが、関連する識別子を有し、前記音声番組のそれぞれが前記音声サンプルのなかの１つに関連付けられ、前記音声サンプルのそれぞれと前記音声番組のそれぞれとが共通の識別子により関連付けられること」を、補正前の請求項１に追加したものであり、請求項１６については、「前記音声サンプルのそれぞれ及び前記音声番組のそれぞれが、関連する識別子を有し、前記音声番組のそれぞれが前記音声サンプルのなかの１つに関連付けられ、前記音声サンプルのそれぞれと前記音声番組のそれぞれとが共通の識別子により関連付けられること」を、補正前の請求項１６に追加したものである。  
　そこで、この「識別子」を追加する補正について検討する。  
　本件補正の請求項１は、「識別子」の構成を備えるものであるのに対して、補正前の請求項１には、「識別子」の構成を備えるものではない。  
　また、補正前の請求項１に記載された「前記装置において音声情報を受信する過程であって、前記音声情報は音声サンプルと音声番組とを含み、前記装置においてその何れであるかが判別される、該過程と」は、音声情報を受信する過程であって、本件補正の請求項１に記載された「識別子」自体を示すものではない。同様に、補正前の請求項１に記載された「前記音声情報が音声サンプルとして識別された場合には前記音声情報を再生する過程」と「前記音声情報が音声番組として識別された場合には前記装置のメモリに前記音声情報を格納する過程」は、それぞれ、「音声情報を再生する過程」と「音声情報を格納する過程」であって、本件補正の請求項１に記載された「識別子」自体を示すものではない。  
　よって、新たな「識別子」を追加する本件補正の請求項１に記載された発明は、補正前の請求項１に記載された発明を特定するために必要な事項を限定して特許請求の範囲の減縮をしたものとは認められず、特許法第１７条の２第４項第２号の特許請求の範囲の減縮（請求項に記載した発明を特定するために必要な事項を限定するものであって、その補正前の当該請求項に記載された発明とその補正後の請求項に記載される発明の産業上の利用分野及び解決しようとする課題が同一であるもの）を目的とするものではない。  
　また、本件補正の請求項１に記載された補正は、特許法第１７条の２第４項第１号の請求項の削除、同第３号の誤記の訂正、または、特許法第１７条の２第４項第４号の明りょうでない記載の釈明（拒絶理由に係る拒絶の理由に示す事項についてするものに限る。）のいずれをも目的とするものではない。  
　本件補正の請求項１６に関しても、上記のごとく新たな「識別子」による構成を追加する補正が含まれており、上記請求項１と同様である。  
　したがって、請求項１、１６に係る補正を含む本件補正は、特許法第１７条の２第４項の規定に適合しない。  
　  
（２）むすび  
　以上のとおり、本件補正は、特許法第１７条の２第４項の規定に適合しないので、同法第１５９条第１項で準用する同法第５３条第１項の規定により却下すべきものである。  
　  
３．本願発明について  
（１）本願発明  
　平成１５年９月１６日付けの手続補正は、上記のとおり却下されたので、本願の請求項１に係る発明は、平成１５年４月２３日付け手続補正書の特許請求の範囲の請求項１に記載されたとおりの次のものと認める。（以下、「本願発明」という。）  
「ユーザ側の装置において実行される音声情報を再生する方法であって、  
　前記装置において音声情報を受信する過程であって、前記音声情報は音声サンプルと音声番組とを含み、前記装置においてその何れであるかが判別される、該過程と、  
　前記音声情報が音声サンプルとして識別された場合には前記音声情報を再生する過程と、  
　前記音声情報が音声番組として識別された場合には前記装置のメモリに前記音声情報を格納する過程とを有し、  
　前記音声情報を格納する過程の前に前記音声番組を再生しないことを特徴とする方法。」  
　  
（２）引用例  
　これに対して、原査定の拒絶の理由に引用された本願の優先権主張の日前である平成１１年５月２０日に頒布された国際公開第９９／２５０８２号パンフレット（国際公開日：１９９９年５月２０日、以下、「引用例」という。）には、図面と共に次の事項が記載されている。  
　  
Ａ．「(57)要約  
　地上局は、複数のオーディオ放送の音声ディジタルデータと、ＧＵＩデータと、ダウンロード用の音声データとを多重化して、衛星を介して受信側に送る。受信側では、オーディオ放送に関連するＧＵＩ画面を表示する。表示画面に基づいて音楽情報の指定入力が与えられると、音楽情報に対応する音楽番組を放送しているオーディオ放送に切り換えると共に、表示画面に基づいて音声情報のダウンロードの指定入力が与えられると、音楽情報に対応するダウンロード用音声データが出力される。このダウンロード用オーディオデータをストレージデバイスに蓄積することで、所望の楽曲データをダウンロードできる。」  
　  
Ｂ．「送信装置及び方法、情報編集装置及び方法、受信装置及び方法、情報蓄積装置及び方法、並びに放送システム  
　  
技術分野  
この発明は、衛星放送により音楽放送を行う場合に用いて好適な送信装置及び方法、情報編集装置及び方法、受信装置及び方法、情報蓄積装置及び方法、並びに放送システムに関する。  
　  
背景技術  
　ディジタル衛星放送の普及が進んでいる。ディジタル衛星放送は、既存のアナログ放送に比べて、ノイズやフェージングに強く、高品質の信号を伝送することが可能であると共に、周波数利用効率が向上され、多チャンネル化が図れる。例えば、ディジタル衛星放送では、１つの衛星で数１００チャンネルを確保することが可能である。このようなディジタル衛星放送では、スポーツ、映画、音楽、ニュース等の専門チャンネルが用意されており、これらの専門チャンネルでは、それぞれの専門のコンテンツのプログラムが終日放映されている。  
　これらの専門チャンネルの中で、音楽チャンネルは、人気のあるチャンネルの１つである。従来の音楽チャンネルでは、主に、プロモーション用のビデオを放映して、新曲紹介やヒット曲の番組が放映されている。  
　上述のように、従来、音楽チャンネルでは、新曲紹介やヒット曲の番組が動画と音声で送られている。視聴者は、このような音楽チャンネルを見ていて気に入った楽曲があると、紹介されている楽曲のＣＤ等を購入して、楽しみたいと考えことが良くある。また、その楽曲のミュージシャンの情報や、その楽曲の収められているアルバムの情報を知りたくなることが良くある。音楽番組を見ていて、その楽曲のミュージシャンの情報やその楽曲の収められているアルバムの情報を知りたくなったら、その場でその情報が得られ、また、気に入った楽曲があったら、その楽曲の音楽データをダウンロードできれば非常に便利である。ところが、従来の音楽チャンネルでは、音楽に関する動画と音声が一方的に送られるものであり、このような要請には応えられない。  
　したがって、この発明の目的は、放送されている音楽に関する情報を簡単に得ることができる送信装置及び方法、情報編集装置及び方法、受信装置及び方法、情報蓄積装置及び方法、並びに放送システムを提供することにある。  
　この発明の他の目的は、楽曲のデータを簡単に得ることができる送信装置及び方法、情報編集装置及び方法、受信装置及び方法、情報蓄積装置及び方法、並びに放送システムを提供することにある。  
　  
発明の開示  
　・・・（中　略）・・・  
　放送局からは、複数のオーディオ放送を行うための音声ディジタルデータと、送信しているオーディオ放送に関連する音声情報画面を形成するためのディジタルデータと、所定の圧縮方式で圧縮されたダウンロード用の音声データとが多重化された信号が送られてくる。受信側では、オーディオ放送に関連する音声情報画面を形成するためのディジタルデータに基づいて、送信しているオーディオ放送に関連する音声情報の画面が表示される。表示画面に基づいて音楽情報の指定入力が与えられると、音楽情報に対応する音楽番組を放送しているオーディオ放送に切り換えると共に、表示画面に基づいて音声情報のダウンロードの指定入力が与えられると、音楽情報に対応するダウンロード用音声データが出力される。このダウンロード用オーディオデータを情報蓄積装置に蓄積することで、所望の楽曲データをダウンロードできる。これにより、放送されている音楽に関する情報を簡単に得ることができると共に、所望の楽曲のデータを情報蓄積装置に簡単に蓄積することができる。」（明細書第１頁第３行〜第４頁第１３行）  
　  
Ｃ．「発明を実施するための最良の形態  
　この発明が適用されたシステムは、ディジタル衛星放送を使って音楽番組を放送すると共に、この音楽番組と関連するようなオーディオデータを配信することにより、視聴者が音楽番組を試聴していて気に入った楽曲があった場合に、その場でその楽曲を簡単に購入できるようにしたものである。  
　以下、本発明の第１の実施例について説明する。第１図は、この発明が適用されたシステムの全体構成を示すものである。第１図において、１は衛星放送システムの地上局である。地上局１には、オーディオチャンネル番組放送素材サーバ１２Ａ、１２Ｂ、…からのオーディオチャンネルの素材と、ダウンロード用オーディオデータ素材サーバ１３からのダウンロード用のデータと、ＧＵＩデータサーバ１４からのグラフィックユーザインターフェース用の画面を表示するためのデータが送られる。  
　オーディオチャンネル番組放送素材サーバ１２Ａ、１２Ｂ、…は、オーディオチャンネルを使って、オーディオ番組を提供するサーバである。このオーディオチャンネル番組放送の素材は音声のみである。各オーディオチャンネル番組放送では、夫々、同一の楽曲が所定の単位時間繰り返して放送され、この楽曲は、後に説明するダウンロード用の楽曲と関連している。各オーディオチャンネルは、夫々、独立しており、各オーディオチャンネルの利用方法は各種のものが考えられる。例えば、１つのオーディオチャンネルでは、最新の日本のポップスの中の推薦曲を所定時間繰り返して放送し、他のオーディオチャンネルでは、最新のアメリカンポップスの中の推薦曲を所定時間繰り返して放送し、更に他のオーディオチャンネルでは、ジャズの中から推薦曲を所定時間繰り返して放送するようにしても良い。また、同じアーチストの複数の楽曲を夫々のオーディオチャンネルに分けて繰り返して放送するようにしても良い。  
　ダウンロード用のオーディオデータ素材サーバ１３は、ダウンロード用の複数のオーディオデータを提供している。このダウンロード用のオーディオデータは、オーディオチャンネル番組放送で放送されている楽曲と関連している。すなわち、例えば、上述のように、１つのオーディオチャンネルでは、最新の日本のポップスの推薦曲が所定時間繰り返して放送され、他のオーディオチャンネルでは、最新のアメリカンポップスの中の推薦曲が所定時間繰り返して放送され、更に他のオーディオチャンネルでは、ジャズの中から推薦曲が所定時間繰り返して放送されているとする。この場合、オーディオチャンネルで取り上げられている最新の日本のポップスの推薦曲や、最新のアメリカンポップスの推薦曲や、ジャズの中の推薦曲のオーディオデータがダウンロード用のオーディオデータとして提供される。  
　なお、オーディオチャンネル番組で放送される楽曲は、紹介のための音楽放送であるから、楽曲紹介のナレーションが含まれていたり、コマーシャルが含まれていたりする場合がある。  
　これに対して、ダウンロード用のオーディオデータでは、楽曲紹介のナレーションやコマーシャルは極力避けられ、なるべく完全な状態でオーディオデータが送られる。また、ダウンロード用のオーディオデータは、オーディオチャンネル番組で送られる音声よりも、音質の向上が図られている。  
　ＧＵＩ（Graphic User Interface）データサーバ１４は、配信される楽曲のリストページや各楽曲の情報ページの画面を形成するためのデータや、ＥＰＧ（Electric Program Guide）用の画面を形成するためのデータ等を提供するものである。後に説明するように、ダウンロードできる楽曲のリストや、その曲についての情報は、画面上で表示を見ながら行うことができる。ＧＵＩデータサーバ１４からは、そのためのデータが送られる。  
　地上局１は、これら、オーディオチャンネル番組放送素材サーバ１２Ａ、１２Ｂ、…からのオーディオチャンネルの素材となるオーディオデータと、ダウンロード用オーディオデータ素材サーバ１３からのダウンロード用のデータと、ＧＵＩデータサーバ１４からのデータとを多重化して送信する。このとき、オーディオチャンネルのオーディオデータは例えばＭＰＥＧ（Moving Picture Experts Group）オーディオ方式により圧縮され、ダウンロード用のオーディオデータは例えばＡＴＲＡＣ（Adaptive Transform Acoustic Coding）２方式により圧縮される。また、ダウンロード用のオーディオデータは、キー情報サーバ１５からのキー情報を用いて、暗号化が施される。さらにＧＵＩデータサーバ１４からのデータは、例えば、ＭＨＥＧ５（Multimedia and Hypermedia Information Coding Experts Group Phase 5）によって符号化されたものである。多重化された信号はさらにスクランブル・ＱＰＳＫ変調されて伝送される。」（明細書第６頁第１３行〜第９頁第３行）  
　  
Ｄ．「 地上局１からの信号は、衛星２を介して、各家庭の受信設備３で受信される。  
　・・・（中　略）・・・  
　各家庭の受信設備としては、パラボラアンテナ２１と、ＩＲＤ２２（Integrated Receiver Decoder）と、ストレージデバイス２３と、テレビジョン受像機２４とが用意される。パラボラアンテナ２１で、衛星２を介して送られてきた信号が受信される。この受信信号がパラボラアンテナ１１に取り付けられたＬＮＢ（Low Noise Block Downconverter）２５で所定の周波数に変換され、ＩＲＤ２２に供給される。  
　ＩＲＤ２２は、受信信号から所定のチャンネルの信号を選択し、ビデオ信号及びオーディオ信号の復調・復号を行うものである。また、ＩＲＤ２２は、受信したＧＵＩデータに基づいて配信される楽曲のリストページや各楽曲の情報ページや、ＥＰＧ用の画面の表示処理を行なう。ＩＲＤ２２の出力がテレビジョン受像機２４に供給される。  
　ストレージデバイス２３は、ダウンロードされたオーディオデータを保存するためのものである。例えば、ストレージデバイス２３としては、ＭＤレコーダ／プレーヤ、ＤＣＣレコーダ／プレーヤ、ＤＡＴレコーダ／プレーヤ、ＤＶＤレコーダ／プレーヤ等を用いることが考えられる。また、ストレージデバイス２３としてパーソナルコンピュータを使い、ハードディスドライブにオーディオデータを保存したり、ＣＤ−Ｒにオーディオデータを保存することが考えられる。 」（明細書第９頁第４〜２６行）  
　  
Ｅ．「このように、この発明が適用されたシステムでは、地上局１は、オーディオチャンネル番組放送素材サーバ１２Ａ、１２Ｂ、…からのオーディオチャンネルの素材となるオーディオデータと、ダウンロード用オーディオデータ素材サーバ１３からのダウンロード用のデータと、ＧＵＩデータサーバ１４からのデータとを多重化して送信している。  
　各家庭の受信設備３でこの放送を受信すると、送られてきたＧＵＩデータサーバからのデータに基づいて、グラフィック画面が表示される。このグラフィック画面を見ながら必要な操作を行うと、各楽曲についての情報ページを見ることができ、また、各楽曲についての試聴を行うことができる。更に、グラフィック画面を見ながら必要な操作を行うことで、所望のオーディオデータをダウンロードして、ストレージデバイス２３に記録することができる。  
　つまり、各家庭の受信設備３でこの放送を受信すると、第２図Ａに示すように、画面に、配信される楽曲のリストページ３０が表示される。このリストページ３０の表示画面中には、アーチスト名３３、３３、…や、ダウンロード可能な楽曲の曲名３４、３４、３４、…が表示され、各楽曲の選択ボタン３５、３５、３５、…が表示される。  
　視聴者は、このリストページ３０に表示されている曲名を見ながら、興味のある楽曲を探していく。各楽曲についての詳細な情報を見たい場合には、例えば、リモートコマンダの矢印キーを操作して、情報を得たい楽曲の選択ボタン３５を押す。  
　所望の楽曲の楽曲選択ボタン３５が押されると、第２図Ｂに示すように、楽曲の情報ページ４０が表示される。この各楽曲の情報ページ４０には、その楽曲が収められているＣＤのジャケット等の静止画４２が表示される。このウィンドウ４１には、アーチスト名、曲目、作詞者、作曲者、歌詞、ライブ情報等の楽曲の詳細情報４３が表示されると共に、試聴ボタン４４、ダウンロードボタン４５、戻りボタン４６が表示される。  
　・・・（中　略）・・・  
　その楽曲を購入したい場合には、視聴者は、ダウンロードボタン４５を押す。上述のようにダウンロード用のオーディオデータと、オーディオチャンネルで放送されている楽曲とは対応している。したがって、ダウンロードボタン４５が押されると、選択された楽曲のオーディオデータがダウンロードされ、ストレージデバイス２３に記録される。  
　・・・（中　略）・・・  
　このように、この発明が適用されたシステムでは、画面上には楽曲のリストページ３０及び各楽曲の情報ページ４０が表示され、これら楽曲のリストページ３０及び各楽曲の情報ページ４０により各楽曲についての情報を知ることができる。そして、この画面上の表示に従って試聴ボタン４４が押されると、その楽曲を試聴することができ、ダウンロードボタン４５が押されると、その楽曲のオーディオデータをダウンロードして、ストレージデバイス２３に記録することができる。」（明細書第１０頁第９行〜第１２頁第２３行）  
　  
Ｆ．「第８図は、ＩＲＤ２２の構成の一例を示すものである。  
　・・・（中　略）・・・  
　エラー訂正回路７３の出力がデスクランブル＆デマルチプレクサ７４に供給される。デスクランブル＆デマルチプレクサ７４は、エラー訂正回路７３から出力されるビットストリーム信号を受け、これをデスクランブル処理して、データバッファメモリ７５に一旦記憶させる。そして、これをパケット列の形にフレーミングし、パケット毎に所望のデータであるかどうかを判別し、データを振り分ける。  
　地上局１からは、通常の番組放送を行うためのビデオデータ及びオーディオデータと、複数のオーディオチャンネルのオーディオデータと、ダウンロード用のオーディオデータと、ＧＵＩ用のデータが送られてくる。ビデオデータはＭＰＥＧ２方式で圧縮されており、オーディオデータはＭＰＥＧオーディオ方式で圧縮されており、ダウンロード用のオーディオデータはＡＴＲＡＣ２方式で圧縮されている。  
　デマルチプレチサ７４は、受信されたパケットを、ビデオデータと、オーディオデータと、ダウンロード用のオーディオデータと、ＧＵＩ用のデータとに振り分ける。  
　・・・（中　略）・・・  
　通常のＴＶ番組のオーディオデータやオーディオチャンネルのオーディオデータは、ＭＰＥＧオーディオデコーダ８２に供給される。ＭＰＥＧオーディオデコーダ８２は、入力されたデジタルオーディオ信号をバッファメモリ８３に適宣記憶させ、ディジタルオーディオ信号をデコードする。  
　ＭＰＥＧオーディオデコーダ８２の出力がＤ／Ａコンバータ８４に供給される。Ｄ／Ａコンバータ８４により、ディジタルオーディオ信号がアナログオーディオ信号に変換される。Ｄ／Ａコンバータ８４の出力が出力端子８５から出力される。  
　ダウンロード用のオーディオデータは、バッファメモリ８６に一旦蓄えられる。バッファメモリ８６の出力が暗号解読回路８７に供給される。前述したように、ダウンロード用のオーディオデータは暗号化されており、暗号解読に必要なキーは、ＩＣカード８８から発生される。  
　ゲート回路８９には、バッファメモリ８６からダウンロード完了情報が供給されると共に、デマルチプレクサ７４から、受信された暗号解読に必要な情報が供給される。  
　・・・（中　略）・・・  
　なお、上述の例ではダウンロード用のオーディオデータとして、ＡＴＡＲＣ２で圧縮されたものを用いるようにしているが、圧縮方式は、ＡＴＡＲＣ２に限定されるものではない。他の圧縮方式、例えば、ＡＴＲＡＣを用いるようにしても良い。  
　上述のように、この発明が適用されたシステムでは、通常の音楽放送の他に、複数のオーディオチャンネルを利用して、音声のみの音楽放送が行われ、更に、ダウンロード用のオーディオデータと、ＧＵＩ用のデータとが送られる。そして、オーディオチャンネルでは、所定の時間同一の曲が繰り返し送られている。これにより、視聴者は、自分の聞きたい楽曲を選択して、ストレージデバイスにダウンロードすることが可能になる。」（明細書第２２頁第２４行〜第２９頁第２行）  
　  
Ｇ．「以下、第４の実施例について説明する。ディジタル衛星放送では、放送局から受信局に一方向に信号が送られている。このため、送られてきた楽曲をストレージデバイスで記録する場合、注意深くタイミングを設定しないと、頭切れになったり、曲の途中で記録が終了したりしてしまう。  
　つまり、放送されてくる楽曲をＭＤレコーダ／プレーヤ等で記録する場合には、ユーザは、ＭＤレコーダ／プレーヤ等を記録一時停止状態に設定してその楽曲の放送が開始されるのを待ち、その楽曲の放送が開始されたら、一時停止状態を解除して記録を開始し、その楽曲の放送が終了したら、停止状態に設定して記録を終了するようなことを行っている。しかしながら、このようにユーザが記録開始、記録終了を設定する操作は、ユーザにとって煩わしいと共に、ユーザは注意を払ってタイミングを設定しないと、楽曲の先頭が途切れてしまったり、曲の途中で記録を終了してしまったりする。  
　・・・（中　略）・・・  
　また、ダウンロード用に伝送されてくるＡＴＲＡＣ２データをダウンロードする時には、第２１図のようなＧＵＩ上のダウンロードボタン４５を押す。ダウンロードボタン４５が押されると、選択された楽曲のＡＴＲＡＣ２データがダウンロードされ、ストレージデバイス２３に記録される。このとき、第２０図に示すように、ダウンロード用のＡＴＲＡＣ２データには、各楽曲の先頭及び終了のタイミングで、ヘッダにＩＤデータｉｄが付加されているため、このＩＤデータｉｄにより楽曲の先頭が検出された時点でストレージデバイス２３への記録が開始され、ＩＤデータｉｄにより楽曲の終了が検出された時点でストレージデバイス２３への記録が終了される。このＩＤデータｉｄを検出するために、第１８図に示すように、ＩＲＤ２２には、ＩＤ検出回路６２が設けられる。  
　このように、第４の実施例では、ＧＵＩ画面４０上には楽曲の情報ページ４３が表示され、この情報ページ４３により各楽曲についての情報を知ることができる。そして、その楽曲が選択されると、その楽曲を試聴することができ、録音ボタン４７が押されると、オーディオチャンネルで送られてきたこの楽曲のオーディオ信号がストレージデバイス２３に記録され、ダウンロードボタン４５が押されると、その楽曲のダウンロード用のオーディオデータがダウンロードされて、ストレージデバイス２３に記録される。  
　・・・（中　略）・・・  
　第２３図は、ダウンロードボタン４５により、ダウンロード用のオーディオデータをストレージデバイス２３に記録する際の処理を示すフローチャートである。なお、第２３図で、ステップＳ９１〜Ｓ９７は、ＩＲＤ２２側の処理を示し、ステップＳ１０１〜Ｓ１０４は、ストレージデバイス２３側の処理を示している。  
　放送が受信されると（ステップＳ９１）、ＧＵＩ用のデータによりグラフィック画面が表示される（ステップＳ９２）。このとき、ストレージデバイス２３側は、録音スタンバイ状態に設定されている（ステップＳ１０１）。　ここで、楽曲選択ボタンにより楽曲が指定されると（ステップＳ９３）、選択された楽曲の情報ページ４０が表示されると共に、その楽曲のオーディオチャンネルに切り換えられる。各オーディオチャンネルでは、所定の単位時間中、同一の楽曲が繰り返し放送されているため、選択された楽曲が繰り返して聞けるようになる（ステップＳ９４）。  
そして、ダウンロードボタン４５が押されると（ステップＳ９５）、ＩＤデータの検出が行なわれ、ＩＤデータが検出されると、ＩＲＤ２２からストレージデバイス２３に録音開始指令が与えられる（ステップＳ９６）。  
　ストレージデバイス２３が側では、ＩＲＤ２２から録音開始指令が与えられると、この指令を受けて、録音状態に設定される（ステップＳ１０２）。そして、ＩＲＤ２２側から録音停止指令が与えられるまで、録音状態が続けられる（ステップＳ１０３）。  
　ＩＲＤ２２側では、ＩＤデータを検出しており、ＩＤデータが検出されると、ＩＲＤ２２からストレージデバイス２３に録音停止指令が与えられ（ステップＳ９７）、ステップＳ９１にリターンされる。  
　ストレージデバイス２３が側では、ＩＲＤ２２から録音停止指令が与えられると、この指令を受けて、録音が停止され（ステップＳ１０４）、ステップＳ１０１にリターンされる。」（明細書第３４頁第１７行〜第３９頁１７行）  
　  
Ｈ．「　特許請求の範囲  
・・・（中　略）・・・  
５．複数のオーディオ放送を行うための音声ディジタルデータと、送信しているオーディオ放送に関連する音声情報画面を形成するためのディジタルデータと、所定の圧縮方式で圧縮されたダウンロード用の音声データとが多重化された信号を受信する受信手段と、  
　上記複数のオーディオ放送を行うための音声ディジタルデータと、上記送信しているオーディオ放送に関連する音声情報画面を形成するためのディジタルデータと、上記所定の圧縮方式で圧縮されたダウンロード用の音声データを夫々分割するデータ分離手段と、  
　上記音声ディジタルデータから音声を再生する音声再生手段と、  
　上記ダウンロード用の音声データをデコードするダウンロード用データデコード手段と、  
　上記送信しているオーディオ放送に関連する音声情報画面を形成するためのディジタルデータに基づいて、上記送信しているオーディオ放送に関連する音声情報を画面に表示させる表示手段と、  
　上記表示された画面に基づいて入力が与えられる入力手段と、  
　上記入力手段により、上記表示画面に基づいて音楽情報の指定入力が与えられると、上記音楽情報に対応する音楽番組を放送しているオーディオ放送に切り換えると共に、  
上記入力手段により、上記表示画面に基づいて音声情報のダウンロードの指定入力が与えられると、上記音楽情報に対応するダウンロード用音声データが出力するように制御する制御手段と  
　を備えるようにした受信装置。  
６．複数のオーディオ放送を行うための音声ディジタルデータと、送信しているオーディオ放送に関連する音声情報画面を形成するためのディジタルデータと、所定の圧縮方式で圧縮されたダウンロード用の音声データとが多重化された信号を受信し、  
　上記複数のオーディオ放送を行うための音声ディジタルデータと、上記送信しているオーディオ放送に関連する音声情報画面を形成するためのディジタルデータと、上記所定の圧縮方式で圧縮されたダウンロード用の音声データとを夫々分割し、  
　上記音声ディジタルデータから音声を再生し、  
　上記送信しているオーディオ放送に関連する音声情報画面を形成するためのディジタルデータに基づいて、上記送信しているオーディオ放送に関連する音声情報を画面に表示させ、  
　上記表示画面に基づいて音楽情報の指定入力が与えられると、上記音楽情報に対応する音楽番組を放送しているオーディオ放送に切り換えると共に、　上記表示画面に基づいて音声情報のダウンロードの指定入力が与えられると、  
上記音楽情報に対応するダウンロード用音声データを出力する  
　ようにした受信方法。」（明細書第４４頁第１行〜第４７頁第１８行）  
　  
Ｉ．「３９．複数のオーディオ放送を行うための音声ディジタルデータと、送信しているオーディオ放送に関連する情報画面を形成するためのディジタルデータと、所定の圧縮方式で圧縮されたダウンロード用の音声データとを多重化して送信する  
送信装置において、  
　上記ダウンロード用の音声データ中に、楽曲の先頭位置及び終了位置を示す識別データを挿入する手段を備える  
　ようにした送信装置。  
４０．複数のオーディオ放送を行うための音声ディジタルデータと、送信しているオーディオ放送に関連する情報画面を形成するためのディジタルデータと、所定の圧縮方式で圧縮されたダウンロード用の音声データとが多重化された信号を受信する受信装置において、  
　上記ダウンロード用の音声データ中には楽曲の先頭位置及び終了位置を示す識別データが挿入されており、  
　上記情報画面のデータをデコードして情報画面を映出する手段と、  
　上記情報画面を映出して蓄積したい所望の楽曲を入力する入力手段と、  
　受信された上記ダウンロード用の音声データ中から上記識別データを検出する識別データ検出手段と、  
　上記識別データが検出されたら記録開始指令を発生し、上記楽曲の終了を示す識別データが検出されたら、記録終了指令を発生する制御手段と  
　を備えるようにした受信装置。  
４１．複数のオーディオ放送を行うための音声ディジタルデータと、送信しているオーディオ放送に関連する情報画面を形成するためのディジタルデータと、所定の圧縮方式で圧縮されたダウンロード用のオーディオ信号とが多重化された信号を受信する受信装置と、  
　上記受信装置の出力を蓄積する蓄積装置とからなり、  
　上記情報画面を映出して記録入力を与え、上記ダウンロード用のオーディオデータの中から所望のオーディオデータを選択し、上記オーディオデータを上記蓄積装置に記録するようした情報蓄積システムにおいて、  
　上記ダウンロード用のオーディオデータ中には楽曲の先頭及び終了を示す識別データが挿入されており、  
　上記受信装置は、情報を蓄積するための入力が与えられると、上記楽曲の先頭を示す識別データが検出されたか否かを判断し、上記楽曲の先頭を示す識別データが検出されたら、上記蓄積装置に記録開始指令を与え、上記楽曲の終了を示す識別データが検出されたら、上記蓄積装置に記録終了指令を与え、  
　上記蓄積装置は、上記受信装置から記録開始指令が与えられると、上記受信装置からの信号の記録を開始し、上記受信装置から記録終了指令が与えられると、上記受信装置からの信号の記録を終了する  
ようにした情報蓄積システム。」（明細書第７１頁第１２行〜第７３頁第１行）  
　  
　上記Ｅの記載によれば、引用例のものは、「視聴者」の「受信設備」であって、「必要な操作を行うことで、所望のオーディオデータをダウンロードして、ストレージデバイスに記録する」ものである。  
　また、上記Ｈの記載に「５．複数のオーディオ放送を行うための音声ディジタルデータと、…（中　略）…、所定の圧縮方式で圧縮されたダウンロード用の音声データとが多重化された信号を受信する受信手段と、  
　上記複数のオーディオ放送を行うための音声ディジタルデータと、…（中　略）…、上記所定の圧縮方式で圧縮されたダウンロード用の音声データを夫々分割するデータ分離手段と、  
　上記音声ディジタルデータから音声を再生する音声再生手段と、  
　…（中　略）…　を備えるようにした受信装置。」とあり、上記Ｃの記載に「なお、オーディオチャンネル番組で放送される楽曲は、紹介のための音楽放送であるから、楽曲紹介のナレーションが含まれていたり、コマーシャルが含まれていたりする場合がある。  
　これに対して、ダウンロード用のオーディオデータでは、楽曲紹介のナレーションやコマーシャルは極力避けられ、なるべく完全な状態でオーディオデータが送られる。また、ダウンロード用のオーディオデータは、オーディオチャンネル番組で送られる音声よりも、音質の向上が図られている。」とあるように、引用例のものは、「オーディオ放送を行うための音声ディジタルデータ」が、楽曲を紹介するための放送であって、「ダウンロード用の音声データ」は前記「音声ディジタルデータ」よりも、音質の向上が図られている。  
　そして、上記Ｆの記載によれば、引用例のものは、「デマルチプレクサ」で「エラー訂正回路から出力されるビットストリーム信号を受け、…（中　略）…パケット列の形にフレーミングし、パケット毎に所望のデータであるかどうかを判別し、」「オーディオデータと、ダウンロード用のオーディオデータと、ＧＵＩ用のデータとに振り分ける。」ものである。  
　さらに、引用例のものは、上記Ｉの記載のように、「受信された上記ダウンロード用の音声データ中から上記識別データを検出する識別データ検出手段と、  
　上記識別データが検出されたら記録開始指令を発生し、上記楽曲の終了を示す識別データが検出されたら、記録終了指令を発生する制御手段と  
　を備えるようにした受信装置」である。  
　  
　よって、上記Ａ〜Ｉの記載及び関連する図面を参照すると、引用例には、次の発明（以下、「引用例記載の発明」という。）が記載されているものと認められる。  
　「視聴者の受信装置において必要な操作を行うことで、所望のオーディオデータをダウンロードして、ストレージデバイスに記録するものであって、　楽曲を紹介するための放送である複数のオーディオ放送を行うための音声ディジタルデータと、送信しているオーディオ放送に関連する音声情報画面を形成するためのディジタルデータと、前記音声ディジタルデータよりも音質の向上が図られている所定の圧縮方式で圧縮されたダウンロード用の音声データとが多重化された信号を受信し、  
　上記複数のオーディオ放送を行うための音声ディジタルデータと、上記送信しているオーディオ放送に関連する音声情報画面を形成するためのディジタルデータと、上記所定の圧縮方式で圧縮されたダウンロード用の音声データを夫々分割するデータ分離過程であって、デマルチプレクサでエラー訂正回路から出力されるビットストリーム信号を受け、パケット列の形にフレーミングし、パケット毎に所望のデータであるかどうかを判別し、オーディオ放送を行うための音声ディジタルデータと、ダウンロード用の音声データと、音声情報画面を形成するためのディジタルデータとに振り分け、  
　上記オーディオ放送を行うための音声ディジタルデータから音声を再生し、  
　上記音声情報画面に基づいて音声情報のダウンロードの指定入力が与えられると、上記音楽情報に対応するダウンロード用の音声データが出力するように制御され、  
　受信された上記ダウンロード用の音声データ中から識別データを検出する識別データ検出手段を有し、  
　上記識別データが検出されたら記録開始指令を発生し、上記楽曲の終了を示す識別データが検出されたら、記録終了指令を発生する制御をすること  
　を特徴とする方法。」  
　  
（３）対比  
　本願発明と引用例記載の発明とを対比すると、両者は共に、音声の受信装置において、再生のために音声を記憶するものであって、  
　引用例記載の発明における「視聴者」、「受信装置」、「ダウンロード用の音声データ」、「ストレージデバイス」、及び「記録」は、それぞれ、本願発明における「ユーザ側」、「装置」、「音声番組」、「メモリ」、及び「格納」に相当する。  
　ここで、上記（２）Ｈに記載されているように、引用例記載の発明の「多重化された信号」は「オーディオ放送を行うための音声ディジタルデータ」と「ダウンロード用の音声データ」を多重化した信号、すなわち音声に関する情報を多重化した信号であるから、本願発明の「音声情報」に相当する。 　また、引用例記載の発明の「オーディオ放送を行うための音声ディジタルデータ」は、上記（２）Ｃに記載されているように、楽曲すなわち音声情報を紹介する情報であり、本願発明の「音声サンプル」については、「ユーザが聞き流せない関心のある音声サンプルを見つけた場合は、ボタンを押すなどの所定の操作するだけで、現在再生中の音声サンプルに関連する音声番組を利用する」（段落【００１５】参照。）、さらに「前記音声サンプルが前記音声番組の抜粋であること」（請求項４参照。）という記載があることからみて、引用例記載の発明の「オーディオ放送を行うための音声ディジタルデータ」と本願発明の「音声サンプル」は、共に、音声情報を紹介する情報として共通する。  
　さらに、引用例記載の発明における「データ分離過程」は、「パケット毎に所望のデータであるかどうかを判別し、オーディオ放送を行うための音声ディジタルデータと、ダウンロード用の音声データと、…（中　略）…に振り分け」ているので、受信装置において音声情報を受信する過程であって、前記音声情報はオーディオ放送を行うための音声ディジタルデータとダウンロード用の音声データとを含み、前記受信装置においてその何れであるかを判別しており、本願発明の「前記装置において音声情報を受信する過程であって、…（中　略）…、前記装置においてその何れであるかが判別される、該過程」に相当する。  
　加えて、引用例記載の発明では、「多重化された信号」を「オーディオ放送を行うための音声ディジタルデータ」と「ダウンロード用の音声データ」に判別した結果、オーディオ放送を行うための音声ディジタルデータから音声を再生する処理とダウンロード用の音声データを記録する処理をしており、引用例記載の発明における前記音声ディジタルデータを再生する処理とダウンロード用の音声データを記録する処理は、本願発明の「前記音声情報が…（中　略）…として識別された場合には前記音声情報を再生する過程」と「前記音声情報が音声番組として識別された場合には前記装置のメモリに前記音声情報を格納する過程」に相当する。  
　  
　よって、本願発明と引用例記載の発明とは、  
　「ユーザ側の装置において実行される音声情報を再生する方法であって、　前記装置において音声情報を受信する過程であって、前記音声情報は音声情報を紹介する情報と音声番組とを含み、前記装置においてその何れであるかが判別される、該過程と、  
　前記音声情報が前記音声情報を紹介する情報として識別された場合には前記音声情報を再生する過程と、  
　前記音声情報が音声番組として識別された場合には前記装置のメモリに前記音声情報を格納する過程とを有し  
　　たことを特徴とする方法。」  
　である点で一致し、次の点で相違する。  
　  
＜相違点１＞ 「音声情報を紹介する情報」が、本願発明では、「音声サンプル」であるのに対して、引用例記載の発明では「オーディオ放送を行うための音声ディジタルデータ」である点。  
　  
＜相違点２＞ 本願発明は、「前記音声情報を格納する過程の前に前記音声番組を再生しない」ものであるのに対して、引用例記載の発明では、音声情報を格納する過程の前に音声番組を再生しないことが明示されていない点。　　 
　　
（４）判断  
　そこで、上記相違点について検討する。  
　　 
＜相違点１について＞  
　一般に、音声情報通信システムの分野において、提供する情報を紹介する情報として、ハイライト部分やダイジェスト情報、すなわちサンプル情報を用いることは、特表平３−５００４７６号公報（第３頁左上欄第９〜２１行目参照。）の「本発明は、一般消費者に対し予備レコードされた演目を供給するためのシステムに関するものである。このシステムは完結した音楽作品及びこれら音楽作品のハイライト部分又は試聴用部分からなる予備レコード芸能の資源を含んでいる。・・・（中　略）・・・各加入者は完結した音楽作品の試聴用部分を受信することができる受信機を有する。・・・（中　略）・・・」と、また、特開平１０−１５５１４０号公報の「【０１５８】また、他の例として、番組のダイジェストが「副情報」のサービス情報として送信され、番組の全編が「正情報」のサービス情報として送信される場合について説明する。まず、情報種別情報の対象となっているサービス情報のデータ名に「番組情報」、情報種別記述に「副情報」と記述され、番組名，配信予定日時，配信媒体，配信チャンネルが他のサービス付加情報として付加され、コンテンツ部に番組の情報（ダイジェスト情報）が含まれた第１のサービス情報が送り手から送信され、情報受信装置は、このサービス情報を記憶部１５に記憶する。次に、情報種別情報の対象となっているサービス情報のデータ名に「番組情報」、情報種別記述に「正情報」と記述され、コンテンツ部に番組の情報（番組全編）が含まれた第２のサービス情報が送り手から送信される。」と開示されているように、本願優先権主張日前に周知の技術にすぎない。  
　したがって、引用例記載の発明の「音声情報を紹介する情報」として、上記周知の技術を適用し、「音声サンプル」を用いる構成とすることは、当業者が容易に想到し得た事項にすぎない。  
　 　  
＜相違点２について＞  
　本願発明における「前記音声情報を格納する過程」とは、「前記音声番組として識別された場合には前記装置のメモリに前記音声情報を格納する過程」であり、すなわち、音声情報が音声番組と識別された場合に、当該音声番組を格納する過程と認められる。  
　したがって、上記相違点２として挙げた「前記音声情報を格納する過程の前に前記音声番組を再生しない」とは、音声番組を格納する過程の前に前記音声番組を再生しないことを意味している。  
　引用例記載の発明においては、上記（２）Ｄに「ストレージデバイス２３は、ダウンロードされたオーディオデータを保存するためのものである。例えば、ストレージデバイス２３としては、ＭＤレコーダ／プレーヤ、ＤＣＣレコーダ／プレーヤ、ＤＡＴレコーダ／プレーヤ、ＤＶＤレコーダ／プレーヤ等を用いることが考えられる。また、ストレージデバイス２３としてパーソナルコンピュータを使い、ハードディスドライブにオーディオデータを保存したり、ＣＤ−Ｒにオーディオデータを保存することが考えられる。」と記載されていることから、音声番組を再生することを前提にプレーヤ等に格納するものであり、格納した後に音声番組を再生することは自明である。 
　そして、音声番組を格納する過程の前に再生することは、特に記載されていないので、引用例記載の発明において、音声番組を格納する過程の前に音声番組を再生しないようにすること、すなわち、「前記音声情報を格納する過程の前に前記音声番組を再生しない」構成とすることは、当業者が容易に成し得た事項にすぎない。  
　  
　また、本願発明の構成によってもたらされる効果も、引用例記載の発明及び上記周知の技術から当業者ならば容易に予測することができる程度のものであって、格別なものとはいえない。  
　  
（５）むすび  
　したがって、本願発明は、引用例記載の発明及び上記周知の技術に基いて、当業者が容易に発明をすることができたものであるので、特許法第２９条第２項の規定により特許を受けることができない。  
　よって、結論のとおり審決する。